(57)【要約】 【課題】  竿内に移動竿を保持する竿帯を巻き込む筒体を備えると共に、該筒体上に羽操作装置を備え、竿の移動操作と共に羽の傾きを操作する水平遮蔽羽ブラインドにおいて、竿の移動操作中における羽操作装置の摩擦抵抗を小さくして竿の移動操作が軽快に出来ると共に、羽の保持が確りと行われる羽操作装置を得る。【解決手段】  筒体上に設けた操作リング手段に筒体を把持する摩擦内周面部と軸方向に開かれた把持開閉端部を設け、該把持開閉端部の間に遮蔽羽の傾きの手前上がり及び手前下がりの終端において竿側に固定された操作カムにより摩擦内周面部の把持力を解除するように作動する開閉駒を設けた。【選択図】        図７
2006029029.tif 000002
【特許請求の範囲】
【請求項１】
上部竿と下位の移動竿間に垂下された水平遮蔽羽の羽保持紐と、前記羽保持紐に一定間隔で保持された多数の水平遮蔽羽と、前記上部竿内の竿帯の巻込み筒体上に回転且つ軸移動自在に保持されその外周部に前記羽保持紐の前側と後側の上端が結合され、少なくともその一部に内側の摩擦内周面部と軸方向に開かれた把持開閉端部と前記摩擦内周面部の把持力を付与する把持力付与手段を備える操作リング手段と、前記把持開閉端部の間に駒保持手段により操作方向に運動自在に保持されその一部に隣接する操作カム面部に伸びる操作レバー部を備える非円筒形の開閉駒と、前記操作リング手段の周りの竿側に固定に設けられ操作カム面を備える操作カムを有し、前記摩擦内周面部が前記把持力付与手段により前記筒体を一定の把持力で保持すると共に、前記筒体の回転により遮蔽羽の傾きが手前下がり及び手前上がりの終端に傾いた際に、前記開閉駒が前記摩擦内周面部の把持力を解除するようにした水平遮蔽羽ブラインドの羽操作装置。
【請求項２】
筒体上に回転且つ軸方向移動自在に嵌まりその外周部に羽保持紐の上端が結合された輪状体のリング部と該リング部の側面部に固定された軸方向に突出する二つのリンクピンに各々その一方側を揺動自在に保持され両側より筒体の外周を挟むように形成されその内側に摩擦内周面部を有しその互いに向き合った先端部に把持開閉端部を形成する二つの摩擦リンクと前記二つの摩擦リンクの外周を跨ぐように嵌められた把持押しバネの把持力付与手段を備える操作リング手段と、前記把持開閉端部間に設けられ駒保持手段により操作方向に運動自在に保持されその一部に操作カム面に伸びる操作レバー部を備える非円筒形の開閉駒を備えることを特徴とする請求項１記載の水平遮蔽羽ブラインドの羽操作装置。
【発明の詳細な説明】
【技術分野】
【０００１】
本発明は、水平遮蔽羽ブラインドの羽の傾きを操作する羽操作装置に関する。
特に、遮蔽羽の羽保持紐を保持する羽操作リングが竿保持体を巻込み、巻戻しをする筒体上に保持され、竿の移動操作と共に羽の傾きを操作するようになっている羽操作装置に関する。
【背景技術】
【０００２】
本願と同一出願人の先の出願、特願２００３−３１４１４８号には、竿移動保持装置として、竿内の水平軸線上で横に移動しながら回転することの出来る筒体に、刻み目付竿帯の上方端側を螺旋状に巻き付けて保持するものが開示されている。ここで、遮蔽羽の羽保持紐を保持する羽操作リングが竿保持体を巻込み、巻戻しをする筒体上に保持され、筒体の回転と同時に羽の傾きを操作するようになっている羽操作装置が開示されている。
【特許文献１】特願２００３−３１４１４８号明細書。
【特許文献２】特願２００４−１６０３６４号明細書。
【発明の開示】
【発明が解決しようとする課題】
【０００３】
水平遮蔽羽ブラインドはそれが開かれている時は、羽操作装置は設定された羽の傾きが風などに影響されることなく維持されている必要がある。そのためには、遮蔽羽の羽保持紐を保持する上部の保持部が動かないように確りと固定されていなければならない。しかし、竿保持体を回転しながら巻き取る筒体に上に保持され、移動竿の昇降操作と同時にその把持力による摩擦抵抗力で羽の傾き操作を行う羽操作リングを備えるものにおいては、羽の傾け角度の範囲が１８０°に満たないにもかかわらず竿保持体の巻込み、巻戻し中の筒体の全回転域にわたって羽操作リングの把持力を維持することになり、竿の移動操作重くし、且つ、羽操作リングの摩擦部と筒体の摩滅を早める等の不具合をもたらした。
本発明の目的は、前述のような点に鑑み、通常は設定された羽の傾きが確りと維持され、竿の移動操作の際には摩擦抵抗を与えない羽操作装置を備え、竿の移動操作が軽快に出来る水平遮蔽羽ブラインドを提供するにある。
本発明の他の目的は、操作リング手段の摩擦部と筒体外周部の損耗の少ない羽操作装置を備える水平遮蔽羽ブラインドを提供しようとするものである。
【課題を解決するための手段】
【０００４】
上記目的を達成するために、本発明は、上部竿と下位の移動竿間に垂下された水平遮蔽羽の羽保持紐と、前記羽保持紐に一定間隔で保持された多数の水平遮蔽羽と、上部竿内の竿帯の巻込み筒体上に回転且つ軸移動自在に保持されその外周部に前記羽保持紐の前側と後側の上端が結合され、全体ないし少なくともその一部に内側の摩擦内周面部と軸方向に開かれた把持開閉端部と前記摩擦内周面部の把持力を付与する把持力付与手段を備える操作リング手段と、前記把持開閉端部の間に駒保持手段により操作方向に運動自在に保持されその一部に隣接する操作カム面部に伸びる操作レバー部を備える非円筒形の開閉駒と、操作リング手段の周りの竿側に固定に設けられ操作カム面を備える操作カムを有し、前記摩擦内周面部が前記把持力付与手段により前記筒体を一定の把持力で保持すると共に、前記筒体の回転により遮蔽羽の傾きが手前下がり及び手前上がりの終端に傾いた際に、前記開閉駒が前記摩擦内周面部の把持力を解除するようにした水平遮蔽羽ブラインドの羽操作装置にある。
【０００５】
上記操作リング手段が筒体上に回転且つ軸方向移動自在に嵌まりその外周部に羽保持紐の上端が結合された輪状体のリング部と、該リング部の側面部に固定された軸方向に突出する二つのリンクピンに各々その一方側を揺動自在に保持され両側より筒体の外周を挟むように形成されその内側に摩擦内周面部を有しその互いに向き合った先端部に把持開閉端部を形成する二つの摩擦リンクと、前記二つの摩擦リンクの外周を跨ぐように嵌められた把持押しバネの把持力付与手段からなり、前記把持開閉端部間に設けられ駒保持手段により操作方向に運動自在に保持されその一部に操作カム面に伸びる操作レバー部を備える非円筒形の開閉駒を備えるようにした羽操作装置にすることも出来る。
【発明の効果】
【０００６】
本発明によれば、竿の移動操作の際に遮蔽羽の傾きの手前上がり手前下がりの終端において操作カム面により作動する開閉駒により操作リング手段の摩擦内周面部の把持力が解除されるようにしたので、竿の移動操作の継続中は把持の摩擦抵抗を与えないで、竿の移動操作が軽快に出来る羽操作装置が得られる。そして、竿の移動操作を終え遮蔽羽が任意の傾きに開かれた位置では摩擦内周面部が筒体を確りと把持して操作リング手段が筒体上に固定される。従って、竿の移動操作中における摩擦が抑えられので、摩擦内周面部と筒体の外周部分の損耗の少ない羽操作装置が得られる。
【発明を実施するための最良の形態】
【０００７】
竿の移動中における羽操作装置の抵抗を小さくして操作を軽快にする目的を、筒体上に設けた羽保持紐を保持する操作リング手段に筒体を把持する摩擦内周面部と把持開閉端部を設け、該把持開閉端部の間に遮蔽羽の傾きの手前上がり及び手前下がりの終端において竿側に固定された操作カムにより摩擦内周面部の把持力を解除するように作動する開閉駒を設けたことによって達成された。
【実施例１】
【０００８】
図１〜４に本発明の羽操作装置の一実施例が示されている。水平遮蔽羽のブラインドは、窓の上部に固定された上部竿１の下に、移動竿２が上部竿１から垂下されている２本の竿帯３により所望の間隔で保持されている。上部竿１からは移動竿２に羽操作装置７の操作リング９から羽保持紐４が垂下されており、該羽保持紐４に水平遮蔽羽５が保持され遮蔽調節面Ａが形成されている。竿帯３は水平遮蔽羽５の帯孔を通って移動竿に至っている。上部竿１内の竿帯３の巻付け部位に軸移動回転軸受８が固定に設けてあり、該軸移動回転軸受８に一本の水平な筒体１０が軸方向移動自在、且つ、回転自在に支持されている。筒体１０上には戻り止め手段を含む竿操作手段１１が設けてある。該竿操作手段１１の操作により筒体１０が回転することにより、各竿帯３は螺旋状に巻き込まれたり、巻き戻されたりして移動竿２を上下に移動させる竿移動保持装置６が構成されている。
羽操作装置７部には筒体１０上に回転自在、且つ、軸方向移動自在に操作リング手段の操作リング９が嵌められている。該操作リング９にはその外周部に二本の横溝が設けてあり、羽保持紐４の前側と後側の上端が操作リングの外周の紐溝を通って各々横溝に嵌め込まれた固定ピン１２に掛けられて結合されている。操作リング９は周囲の一個所に外周部と内周側間を軸方向に開かれた把持開閉端部１３が形成されており、その両側の内周部に摩擦内周面部１４が形成されている。該操作リング９は適度の弾性と摩擦抵抗性状を有する材料で出来ており、筒体に嵌められた際に拡孔するように予め筒体より小さく造られており、その拡孔変形による反発力が把持力付与手段となる。この拡孔変形による反発力により摩擦内周面部１４が筒体の外周を一定の把持力で把持する。図において、把持開閉端部１３の位置は筒体１０の上側にあり、操作の際は筒体１０の中心より上半側を前後に回転運動する。把持開閉端部１３の両端面は互いに相手面側に対して窪んだ軸方向に伸びる湾曲面になっており、この二つの窪んだ湾曲面の把持開閉端部１３に軸方向に伸びる楕円筒形の開閉駒１５が回転方向運動自在に保持されている。ここで、窪んだ把持開閉端部１３は開閉駒１５をその位置に保持する駒保持手段の働きをしている。把持開閉端部１３の両側端面にはレバー凹み部１６が設けてあり、該凹み部１６内に開閉駒１５の両端部よりその楕円形部分の外側の凸部方向に沿ってハート形に突出する操作レバー部１７が開閉駒１５と一体に形成されている。操作リング９の周りにはその内側に操作カム面１８を備える操作カム１９が竿内に固定に設けられている。該操作カム１９の内側は下半側が操作リングの外周に僅かの隙間を保つ同心の円筒面で、上半側が操作レバー部１７の操作カム面１８になっている。
図２において、遮蔽羽５の傾きは水平に開いており、把持開閉端部１３は筒体の真上の位置にあって、開閉駒１５の楕円の凸部の向きは操作レバー部１７と共に垂直に立った方向にある。操作レバー部１７は操作カム面１８に触れず、開閉駒１５の楕円周面は把持開閉端部１３との間に僅かの隙間を有している。そして、操作リング９は筒体１０の前後に位置する摩擦内周面部１４で筒体１０の外周を確りと把持して遮蔽羽５の傾きを維持している。羽保持紐４を通じて懸る水平遮蔽羽５の重量は摩擦内周面部１４により筒体に伝えられる。本発明は筒体の軸方向移動の如何に関わらず実施することができるが、ここでは筒体が回転しながら軸方向に移動するので、操作リング９の両側にその横移動を止める止め板２０が竿に固定に設けてある。
図４において、筒体１０の矢印方向への回転と共に操作リング９が矢印方向に回転して遮蔽羽５は手前上がりの終端いっぱいまで傾いている状態にある。この時、把持開閉端部１３は筒体の後側に傾いており、開閉駒１５の操作レバー部１７が後側の操作カム面１８に接して手前側に大きく傾いている。そして開閉駒１５の楕円の凸部が操作リングの把持開閉端部１３を押し開いている。そこで、上下に位置する摩擦内周面部１４の下側は筒体の外周面より離れた状態にあり、操作リング９の把持力が開放されて筒体との摩擦抵抗が大きく減ぜられている。ここでは、水平遮蔽羽５の重量の懸る操作リング９はその上側の摩擦内周面部１４が筒体上に乗っており、それによる摩擦抵抗を生ずる。操作リング９はそれ以上は回転出来ず、筒体１０が矢印方向に滑り回転する状態にある。筒体１０が逆方向に回転する時、操作リング９は操作カム面１８に手前側に押されている操作レバー部１７の反發力の助けもあって、直ぐに同じ方向に追従して回り、摩擦内周面部１４が筒体を把持する。そして遮蔽羽５が手前下がり（裏側上がり）の終端いっぱいまで傾いた時、同じように操作レバー部１７の反対側が手前側の操作カム面１８に接して後側に傾けて操作リング９の把持力を開放する。竿の上下移動の操作は、操作リングの回転に勢いを与えるように素早くすることが望ましい。
【実施例２】
【０００９】
図５〜７は羽操作装置の他の実施例である。以後の実施例の説明において、前述の例と同一部分には同一の符号にａの添字を付して示し、その詳しい説明を省略して主に異なる部分について説明する。ここでは、操作リング手段は羽保持紐４ａの懸るリング部と筒体１０ａを把持する摩擦内周面部を有する部分とが別体に造られ、２本のピンを介して一体に結合されている。リング部９ａは筒体１０ａ上に回転且つ軸方向移動自在に嵌まり、その外周部に羽保持紐４ａの上端が結合された輪状体である。該リング部９ａの一方の側面部に軸方向に突出する２本のリンクピン２１が固定に打込まれており、この両リンクピン２１の突出した部分に一組の摩擦リンク２２が揺動可能に嵌っている。該摩擦リンク２２は各々内側に摩擦内周面１４ａを有し、筒体１０ａを前後より挟むように形成された前後対称の半輪状形になっている。両摩擦リンク２２の外側の周囲には同じ位置に輪溝２３が設けてあり、該輪溝２３に両摩擦リンク２２を跨ぐように把持押しバネ２４の把持力付与手段が嵌められている。両摩擦リンク２２の先端は互いに接近して前例と同じように把持開閉端部１３ａになっている。ここでは、把持開閉端部１３ａの両端面は略平行な平坦な面になっている。該把持開閉端部１３ａの間に前例と同じような形状の開閉駒１５ａが設けてある。把持開閉端部の位置するリング部９ａの側面部にリンクピン２１と同じように軸方向に突出する駒保持手段の駒ピン２５が設けてある。一方、開閉駒１５ａにはその楕円筒形部の中心部分を貫通するピン孔２６が設けてあり、該ピン孔２６を駒ピン２５の突出部分に嵌められて該駒ピン２５上に回転自在に支持されている。操作レバー部１７ａの周りにその内側に操作カム面１８ａを備える操作カム１９ａが竿１ａ内に固定に設けられている。
図５において、遮蔽羽５ａの傾きは水平に開いており、開閉駒１５ａは筒体の真下の位置にあって、その楕円の凸部の向きは操作レバー部１７ａと共に垂直に下を向いている。操作レバー部１７ａは操作カム面１８ａに触れず、開閉駒１５ａの楕円周面は把持開閉端部１３ａとの間に僅かの隙間を有している。そして、両摩擦リンク２２は摩擦内周面部１４ａで筒体１０ａの外周を確りと把持して遮蔽羽５ａの傾きを維持している。羽保持紐４ａを通じて懸る水平遮蔽羽５ａの重量は主にリング部９ａの内周面により筒体に伝えられる。
図７において、筒体１０ａの矢印方向への回転と共にリング部９ａが矢印方向に回転して遮蔽羽５ａは手前下がり（裏側上がり）の終端いっぱいまで傾いている状態にある。この時、把持開閉端部１３ａは筒体の後側に傾いており、開閉駒１５ａの操作レバー部１７ａが後側の操作カム面１８ａに接して手前側に大きく傾いている。そして開閉駒１５ａの楕円の凸部が両摩擦リンク２２の把持開閉端部１３ａを押し開いている。そこで、上下に位置する摩擦内周面部１４ａは共に筒体の外周面より離れた状態にあり、両摩擦リンク２２の把持力が筒体１０ａから開放されている。ここでは、筒体には水平遮蔽羽５の重量の懸るリング部９ａによる摩擦抵抗を生ずるのみである。筒体１０ａが逆方向に回転する時も前例に順じ同様である。リンク部９ａは滑り特性と耐摩耗性に優れた材料、例えば、工業用プラスチック等が考えられる。又、摩擦リンク２２はブレーキ・シュウー等に用いられる材料等が適している。
以上のように、本発明は、通常は設定された羽の傾きが確りと維持され、竿の移動操作の際には摩擦抵抗を与えない竿の移動操作と共に羽の傾きを操作する羽操作装置が得られる。
【図面の簡単な説明】
【００１０】
【図１】実施例を示す水平遮蔽羽ブラインドの全体を示す正面図である。
【図２】図１における羽操作装置７部分の２−２断面拡大図で遮蔽羽が水平に開かれた状態を示す図である。
【図３】図２における３−３矢視図で一部を断面にして示す図である。
【図４】図１における羽操作装置７部分の２−２断面拡大図で遮蔽羽が手前上がりいっぱいに傾斜した状態を示す図である。
【図５】他の実施例を示す羽操作装置７ａ部分の断面拡大図で遮蔽羽が水平に開かれた状態を示す図である。
【図６】図５における６−６断面図である。
【図７】図５における羽操作装置７ａ部分の断面拡大図で遮蔽羽が手前下がりいっぱいに傾斜した状態を示す図である。
【符号の説明】
【００１１】
１、１ａ  上部竿
２ 
移動竿
３ 
竿帯
４、４ａ  羽保持紐
５、５ａ 水平遮蔽羽
６ 
竿移動保持装置
７、７ａ 
羽操作装置
８  軸移動回転軸受
９  操作リング
９ａ  リング部
１０、１０ａ  筒体
１１  竿操作手段
１２、１２ａ  固定ピン
１３、１３ａ  把持開閉端部
１４、１４ａ 
摩擦内周面部
１５、１５ａ 
開閉駒
１６、１６ａ  凹み部
１７、１７ａ  操作レバー部
１８、１８ａ  操作カム面
１９、１９ａ  操作カム
２０、２０ａ  止め板
２１  リンクピン
２２  摩擦リンク
２４  把持押しバネ
２５  駒ピン
２６  ピン孔
【図１】
2006029029.tif 000003
【図２】
2006029029.tif 000004
【図３】
2006029029.tif 000005
【図４】
2006029029.tif 000006
【図５】
2006029029.tif 000007
【図６】
2006029029.tif 000008
【図７】
2006029029.tif 000009